(57)【特許請求の範囲】
【請求項１】
透明絶縁部材と、前記透明絶縁部材の第１の面上に位置する第１電極層と、前記透明絶縁部材の前記第１の面と対向する第２の面上に位置する第２電極層とを有し、前記第１の面が接触を検出する側であるタッチパネルであって、
前記第１電極層は、複数の第１帯状電極を備え、複数の前記第１帯状電極は、第１の方向に沿って間隔をあけて配置され、かつ前記第１の方向に直交する第２の方向に延びるものであり、
前記第１帯状電極は、前記第１の方向に沿って間隔をあけて配置され、かつ前記第１の方向に直交する第２の方向に延びる複数の第１電極線と、複数の前記第１電極線が電気的に接続される第１パッドとを有し、
前記複数の第１帯状電極は、両側の最外に配置された電極と他の帯状電極とからなり、前記複数の第１帯状電極の他の帯状電極は、前記第１電極線が、屈曲形状を有し、
さらに前記第１電極線と電気的に接続されていない複数の第１非接続線を有し、
前記第1帯状電極間には、前記第１電極線と電気的に接続されていない複数の第１ダミー線を有し、
前記第２電極層は、複数の第２帯状電極を備え、複数の前記第２帯状電極は、前記第２の方向に沿って間隔をあけて配置され、かつ前記第１の方向に延びるものであり、
前記第２帯状電極は、前記第２の方向に沿って間隔をあけて配置され、かつ前記第１の方向に延びる複数の第２電極線と、複数の前記第２電極線が電気的に接続される第２パッドとを有し、
前記複数の第２帯状電極は、両側の最外に配置された電極と他の帯状電極とからなり、前記複数の第２帯状電極の他の帯状電極は、前記第２電極線が、屈曲形状を有しており、
さらに前記第２電極線と電気的に接続されていない複数の第２非接続線を有し、
前記第２帯状電極間には、前記第２電極線と電気的に接続されていない複数の第２ダミー線を有し、
前記第１電極層と前記第２電極層が設けられた領域の中で、前記複数の第１帯状電極と前記複数の第２帯状電極のそれぞれ最外に配置された電極を含まない主感知領域において、前記第１帯状電極の電極幅をＷ１とし、前記第２帯状電極の電極幅をＷ２とするとき、１．２≦Ｗ２／Ｗ１≦２．５を満たす、タッチパネル。
【請求項２】
前記主感知領域において、前記電極幅Ｗ１と前記電極幅Ｗ２とが、１．２≦Ｗ２／Ｗ１≦２．０である請求項１に記載のタッチパネル。
【請求項３】
前記第１電極線は線幅が１０μｍ以下の金属細線であり、前記第２電極線は線幅が１０μｍ以下の金属細線である請求項１または２に記載のタッチパネル。
【請求項４】
前記第１帯状電極は、隣接する前記第１電極線間を電気的に接続する複数の第１接続線をさらに有し、
前記第２帯状電極は、隣接する前記第２電極線間を電気的に接続する複数の第２接続線をさらに有する請求項１〜３のいずれか１項に記載のタッチパネル。
【請求項５】
前記第１電極層と前記第２電極層が重なる交差部において、同形状の正方形、ひし形または正六角形、正三角形の格子が配置されたメッシュ状のパターンを有する請求項４に記載のタッチパネル。
【請求項６】
前記第１非接続線の合計面積をＡ１とし、前記第１電極線および前記第１接続線の合計面積をＢ１とし、前記第１非接続線の占有率をＣ１とするとき、Ｃ１＝Ａ１／（Ａ１＋Ｂ１）であり、
前記第２非接続線の合計面積をＡ２とし、前記第２電極線および前記第２接続線の合計面積をＢ２とし、前記第２帯状電極内の前記第２非接続線の占有率をＣ２とするとき、Ｃ２＝Ａ２／（Ａ２＋Ｂ２）であり、
前記第１非接続線の占有率Ｃ１と、前記第２非接続線の占有率Ｃ２は、Ｃ２＜Ｃ１である請求項４または５に記載のタッチパネル。
【請求項７】
前記第１電極線、前記第１非接続線および前記第１接続線は、線幅が同じであり、かつ線幅が５μｍ以下であり、
前記第２電極線、前記第２非接続線および前記第２接続線は、線幅が同じであり、かつ線幅が５μｍ以下である請求項４〜６のいずれか１項に記載のタッチパネル。
【請求項８】
透明絶縁部材と、前記透明絶縁部材の第１の面上に位置する第１電極層と、前記透明絶縁部材の前記第１の面と対向する第２の面上に位置する第２電極層とを有し、前記第１の面が接触を検出する側であるタッチセンサであって、
前記第１電極層は、複数の第１帯状電極を備え、複数の前記第１帯状電極は、第１の方向に沿って間隔をあけて配置され、かつ前記第１の方向に直交する第２の方向に延びるものであり、
前記第１帯状電極は、前記第１の方向に沿って間隔をあけて配置され、かつ前記第１の方向に直交する第２の方向に延びる複数の第１電極線と、複数の前記第１電極線が電気的に接続される第１パッドとを有し、
前記複数の第１帯状電極は、両側の最外に配置された電極と他の帯状電極とからなり、前記複数の第１帯状電極の他の帯状電極は、前記第１電極線が、屈曲形状を有し、
さらに前記第１電極線と電気的に接続されていない複数の第１非接続線を有し、
前記第1帯状電極間には、前記第１電極線と電気的に接続されていない複数の第１ダミー線を有し、
前記第２電極層は、複数の第２帯状電極を備え、複数の前記第２帯状電極は、前記第２の方向に沿って間隔をあけて配置され、かつ前記第１の方向に延びるものであり、
前記第２帯状電極は、前記第２の方向に沿って間隔をあけて配置され、かつ前記第１の方向に延びる複数の第２電極線と、複数の前記第２電極線が電気的に接続される第２パッドとを有し、
前記複数の第２帯状電極は、両側の最外に配置された電極と他の帯状電極とからなり、前記複数の第２帯状電極の他の帯状電極は、前記第２電極線が、屈曲形状を有しており、
さらに前記第２電極線と電気的に接続されていない複数の第２非接続線を有し、
前記第２帯状電極間には、前記第２電極線と電気的に接続されていない複数の第２ダミー線を有し、
前記第１電極層と前記第２電極層が設けられた領域の中で、前記複数の第１帯状電極と前記複数の第２帯状電極のそれぞれ最外に配置された電極を含まない主感知領域において、前記第１帯状電極の電極幅をＷ１とし、前記第２帯状電極の電極幅をＷ２とするとき、１．２≦Ｗ２／Ｗ１≦２．５を満たす、タッチセンサ。
【請求項９】
透明絶縁部材と、前記透明絶縁部材の第１の面上に位置する第１電極層と、前記透明絶縁部材の前記第１の面と対向する第２の面上に位置する第２電極層とを有するタッチパネル用導電部材であって、
前記第１電極層は、複数の第１帯状電極を備え、複数の前記第１帯状電極は、第１の方向に沿って間隔をあけて配置され、かつ前記第１の方向に直交する第２の方向に延びるものであり、
前記第１帯状電極は、前記第１の方向に沿って間隔をあけて配置され、かつ前記第１の方向に直交する第２の方向に延びる複数の第１電極線と、複数の前記第１電極線が電気的に接続される第１パッドとを有し、
前記複数の第１帯状電極は、両側の最外に配置された電極と他の帯状電極とからなり、前記複数の第１帯状電極の他の帯状電極は、前記第１電極線が、屈曲形状を有し、
さらに前記第１電極線と電気的に接続されていない複数の第１非接続線を有し、
前記第1帯状電極間には、前記第１電極線と電気的に接続されていない複数の第１ダミー線を有し、
前記第２電極層は、複数の第２帯状電極を備え、複数の前記第２帯状電極は、前記第２の方向に沿って間隔をあけて配置され、かつ前記第１の方向に延びるものであり、
前記第２帯状電極は、前記第２の方向に沿って間隔をあけて配置され、かつ前記第１の方向に延びる複数の第２電極線と、複数の前記第２電極線が電気的に接続される第２パッドとを有し、
前記複数の第２帯状電極は、両側の最外に配置された電極と他の帯状電極とからなり、前記複数の第２帯状電極の他の帯状電極は、前記第２電極線が、屈曲形状を有しており、
さらに前記第２電極線と電気的に接続されていない複数の第２非接続線を有し、
前記第２帯状電極間には、前記第２電極線と電気的に接続されていない複数の第２ダミー線を有し、
前記第１電極層と前記第２電極層が設けられた領域の中で、前記複数の第１帯状電極と前記複数の第２帯状電極のそれぞれ最外に配置された電極を含まない主感知領域において、前記第１帯状電極の電極幅をＷ１とし、前記第２帯状電極の電極幅をＷ２とするとき、１．２≦Ｗ２／Ｗ１≦２．５を満たす、タッチパネル用導電部材。
【請求項１０】
透明絶縁部材と、前記透明絶縁部材の第１の面上に位置する第１電極層と、前記透明絶縁部材の前記第１の面と対向する第２の面上に位置する第２電極層とを有するタッチパネル用導電性シートであって、
前記第１電極層は、複数の第１帯状電極を備え、複数の前記第１帯状電極は、第１の方向に沿って間隔をあけて配置され、かつ前記第１の方向に直交する第２の方向に延びるものであり、
前記第１帯状電極は、前記第１の方向に沿って間隔をあけて配置され、かつ前記第１の方向に直交する第２の方向に延びる複数の第１電極線と、複数の前記第１電極線が電気的に接続される第１パッドとを有し、
前記複数の第１帯状電極は、両側の最外に配置された電極と他の帯状電極とからなり、前記複数の第１帯状電極の他の帯状電極は、前記第１電極線が、屈曲形状を有し、
さらに前記第１電極線と電気的に接続されていない複数の第１非接続線を有し、
前記第1帯状電極間には、前記第１電極線と電気的に接続されていない複数の第１ダミー線を有し、
前記第２電極層は、複数の第２帯状電極を備え、複数の前記第２帯状電極は、前記第２の方向に沿って間隔をあけて配置され、かつ前記第１の方向に延びるものであり、
前記第２帯状電極は、前記第２の方向に沿って間隔をあけて配置され、かつ前記第１の方向に延びる複数の第２電極線と、複数の前記第２電極線が電気的に接続される第２パッドとを有し、
前記複数の第２帯状電極は、両側の最外に配置された電極と他の帯状電極とからなり、前記複数の第２帯状電極の他の帯状電極は、前記第２電極線が、屈曲形状を有しており、
さらに前記第２電極線と電気的に接続されていない複数の第２非接続線を有し、
前記第２帯状電極間には、前記第２電極線と電気的に接続されていない複数の第２ダミー線を有し、
前記第１電極層と前記第２電極層が設けられた領域の中で、前記複数の第１帯状電極と前記複数の第２帯状電極のそれぞれ最外に配置された電極を含まない主感知領域において、前記第１帯状電極の電極幅をＷ１とし、前記第２帯状電極の電極幅をＷ２とするとき、１．２≦Ｗ２／Ｗ１≦２．５を満たす、タッチパネル用導電性シート。
【発明の詳細な説明】
【技術分野】
【０００１】
本発明は、導電部材に係り、表示パネル上に配置され、タッチセンサとして利用されるタッチパネルおよびタッチパネルに用いられるタッチパネル用導電性シートに関し、特に、タッチ検出の検出感度を調整したタッチパネルおよびタッチパネルに用いられるタッチパネル用導電性シートに関する。
【背景技術】
【０００２】
現在、金属細線を用いた静電容量方式タッチパネルは、タッチを検出する検出電極の低抵抗化が可能である。このため、感度が高いタッチパネルを提供できるため、注目を集めている。
例えば、特許文献１には、電極線により構成された帯状電極内に電極線の主線と、主線とを接続する副線とを設けることにより、電極線の断線を防止した高感度なタッチパネルを提供できることが開示されている。
【先行技術文献】
【特許文献】
【０００３】
【特許文献１】特開２０１６−１２６７３１号公報
【発明の概要】
【発明が解決しようとする課題】
【０００４】
上述の特許文献１に開示されたタッチパネルでは、金属メッシュ電極を用いたタッチパネルと比較して、電極交差部での寄生容量を低下できるので、金属メッシュ電極を用いたタッチパネルより高感度が期待できるが、実際にタッチパネルを駆動すると、指を用いてタッチ検出した場合には誤検出することがないが、指よりも細い先端を有するスタイラスペン等の部材を用いてタッチ検出した場合、誤検出することがあるという問題がわかった。【０００５】
本発明の目的は、前述の従来技術に基づく問題点を解消し、指よりも細い先端を有する部材を用いてタッチ検出した場合でも、誤検出を抑制することができるタッチセンサ、タッチパネル、タッチパネル用導電部材およびタッチパネル用導電性シートを提供することにある。
【課題を解決するための手段】
【０００６】
上述の目的を達成するために、本発明は、透明絶縁部材と、透明絶縁部材の第１の面上に位置する第１電極層と、透明絶縁部材の第１の面と対向する第２の面上に位置する第２電極層とを有し、第１の面が接触を検出する側であるタッチパネルであって、第１電極層は、複数の第１帯状電極を備え、複数の第１帯状電極は、第１の方向に沿って間隔をあけて配置され、かつ第１の方向に直交する第２の方向に延びるものであり、第１帯状電極は、第１の方向に沿って間隔をあけて配置され、かつ第１の方向に直交する第２の方向に延びる複数の第１電極線と、複数の第１電極線が電気的に接続される第１パッドとを有し、第１電極線は、屈曲形状を有し、第２電極層は、複数の第２帯状電極を備え、複数の第２帯状電極は、第２の方向に沿って間隔をあけて配置され、かつ第１の方向に延びるものであり、第２帯状電極は、第２の方向に沿って間隔をあけて配置され、かつ第１の方向に延びる複数の第２電極線と、複数の第２電極線が電気的に接続される第２パッドとを有し、第２電極線は、屈曲形状を有しており、第１電極層と第２電極層が設けられた領域の中で、複数の第１帯状電極と複数の第２帯状電極のそれぞれ最外に配置された電極を含まない主感知領域において、第１帯状電極の電極幅をＷ１とし、第２帯状電極の電極幅をＷ２とするとき、Ｗ１＜Ｗ２を満たす第１帯状電極と第２帯状電極との組合せが少なくとも１つある、タッチパネルを提供するものである。【０００７】
主感知領域において、第１帯状電極の電極幅Ｗ１と、第２帯状電極の電極幅Ｗ２とがＷ１＜Ｗ２であることが好ましい。
主感知領域においてＷ１＜Ｗ２を満たす第１帯状電極と第２帯状電極とは、第１帯状電極の電極幅Ｗ１と第２帯状電極の電極幅Ｗ２とが、１．０＜Ｗ２／Ｗ１≦３．０であることが好ましい。より好ましくは主感知領域においてＷ１＜Ｗ２を満たす第１帯状電極と第２帯状電極とは、第１帯状電極の電極幅Ｗ１と第２帯状電極の電極幅Ｗ２とが、１．２≦Ｗ２／Ｗ１≦２．０である。
第１電極線は線幅が１０μｍ以下の金属細線であり、第２電極線は線幅が１０μｍ以下の金属細線であることが好ましい。【０００８】
第１帯状電極は、隣接する第１電極線間を電気的に接続する複数の第１接続線をさらに有し、第２帯状電極は、隣接する第２電極線間を電気的に接続する複数の第２接続線をさらに有することが好ましい。
第１帯状電極は、さらに第１電極線と電気的に接続されていない複数の第１非接続線を有し、第２帯状電極は、さらに第２電極線と電気的に接続されていない複数の第２非接続線を有することが好ましい。【０００９】
第１帯状電極内の第１非接続線の合計面積をＡ１とし、第１帯状電極内の第１電極線および第１接続線の合計面積をＢ１とし、第１帯状電極内の第１非接続線の占有率をＣ１とするとき、Ｃ１＝Ａ１／（Ａ１＋Ｂ１）であり、第２帯状電極内の第２非接続線の合計面積をＡ２とし、第２帯状電極内の第２電極線および第２接続線の合計面積をＢ２とし、第２帯状電極内の第２非接続線の占有率をＣ２とするとき、Ｃ２＝Ａ２／（Ａ２＋Ｂ２）であり、第１帯状電極内の第１非接続線の占有率Ｃ１と、第２帯状電極内の第２非接続線の占有率Ｃ２は、Ｃ２＜Ｃ１であることが好ましい。
第１電極線、第１非接続線および第１接続線、ならびに第２電極線、第２非接続線および第２接続線は、線幅が同じであり、かつ線幅が５μｍ以下であることが好ましい。【００１０】
本発明は、透明絶縁部材と、透明絶縁部材の第１の面上に位置する第１電極層と、透明絶縁部材の第１の面と対向する第２の面上に位置する第２電極層とを有するタッチパネル用導電性シートであって、第１電極層は、複数の第１帯状電極を備え、複数の第１帯状電極は、第１の方向に沿って間隔をあけて配置され、かつ第１の方向に直交する第２の方向に延びるものであり、第１帯状電極は、第１の方向に沿って間隔をあけて配置され、かつ第１の方向に直交する第２の方向に延びる複数の第１電極線と、複数の第１電極線が電気的に接続される第１パッドとを有し、第１電極線は、屈曲形状を有し、第２電極層は、複数の第２帯状電極を備え、複数の第２帯状電極は、第２の方向に沿って間隔をあけて配置され、かつ第１の方向に延びるものであり、第２帯状電極は、第２の方向に沿って間隔をあけて配置され、かつ第１の方向に延びる複数の第２電極線と、複数の第２電極線が電気的に接続される第２パッドとを有し、第２電極線は、屈曲形状を有しており、第１電極層と第２電極層が設けられた領域の中で、複数の第１帯状電極と複数の第２帯状電極のそれぞれ最外に配置された電極を含まない主感知領域において、第１帯状電極の電極幅をＷ１とし、第２帯状電極の電極幅をＷ２とするとき、Ｗ１＜Ｗ２を満たす第１帯状電極と第２帯状電極との組合せが少なくとも１つある、タッチパネル用導電性シートを提供するものである。【００１１】
本発明は、透明絶縁部材と、前記透明絶縁部材の第１の面上に位置する第１電極層と、前記透明絶縁部材の前記第１の面と対向する第２の面上に位置する第２電極層とを有し、前記第１の面が接触を検出する側であるタッチセンサであって、第１電極層は、複数の第１帯状電極を備え、複数の第１帯状電極は、第１の方向に沿って間隔をあけて配置され、かつ第１の方向に直交する第２の方向に延びるものであり、第１帯状電極は、第１の方向に沿って間隔をあけて配置され、かつ第１の方向に直交する第２の方向に延びる複数の第１電極線と、複数の第１電極線が電気的に接続される第１パッドとを有し、第１電極線は、屈曲形状を有し、第２電極層は、複数の第２帯状電極を備え、複数の第２帯状電極は、第２の方向に沿って間隔をあけて配置され、かつ第１の方向に延びるものであり、第２帯状電極は、第２の方向に沿って間隔をあけて配置され、かつ第１の方向に延びる複数の第２電極線と、複数の第２電極線が電気的に接続される第２パッドとを有し、第２電極線は、屈曲形状を有しており、第１電極層と第２電極層が設けられた領域の中で、複数の第１帯状電極と複数の第２帯状電極のそれぞれ最外に配置された電極を含まない主感知領域において、第１帯状電極の電極幅をＷ１とし、第２帯状電極の電極幅をＷ２とするとき、Ｗ１＜Ｗ２を満たす第１帯状電極と第２帯状電極との組合せが少なくとも１つあるタッチセンサを提供するものである。【００１２】
本発明は、透明絶縁部材と、透明絶縁部材の第１の面上に位置する第１電極層と、透明絶縁部材の第１の面と対向する第２の面上に位置する第２電極層とを有するタッチパネル用導電部材であって、第１電極層は、複数の第１帯状電極を備え、複数の第１帯状電極は、第１の方向に沿って間隔をあけて配置され、かつ第１の方向に直交する第２の方向に延びるものであり、第１帯状電極は、第１の方向に沿って間隔をあけて配置され、かつ第１の方向に直交する第２の方向に延びる複数の第１電極線と、複数の第１電極線が電気的に接続される第１パッドとを有し、第１電極線は、屈曲形状を有し、第２電極層は、複数の第２帯状電極を備え、複数の第２帯状電極は、第２の方向に沿って間隔をあけて配置され、かつ第１の方向に延びるものであり、第２帯状電極は、第２の方向に沿って間隔をあけて配置され、かつ第１の方向に延びる複数の第２電極線と、複数の第２電極線が電気的に接続される第２パッドとを有し、第２電極線は、屈曲形状を有しており、第１電極層と第２電極層が設けられた領域の中で、複数の第１帯状電極と複数の第２帯状電極のそれぞれ最外に配置された電極を含まない主感知領域において、第１帯状電極の電極幅をＷ１とし、第２帯状電極の電極幅をＷ２とするとき、Ｗ１＜Ｗ２を満たす第１帯状電極と第２帯状電極との組合せが少なくとも１つある、タッチパネル用導電部材を提供するものである。
また、表示機器は、表示パネル及びタッチパネル用導電性シートを有し、タッチパネル用導電性シート中の第１電極層、透明絶縁部材、および第２電極層、ならびに表示パネルがこの順に積層されていればよい。
【発明の効果】
【００１３】
本発明によれば、指よりも細い先端を有する部材を用いてタッチ検出した場合でも、誤検出を抑制することができる。
【図面の簡単な説明】
【００１４】
【図１】本発明の実施形態のタッチパネルの構成を示す模式的断面図である。
【図２】本発明の実施形態のタッチパネルを示す模式的平面図である。
【図３】本発明の実施形態のタッチパネルの構成の他の例を示す模式的断面図である。
【図４】本発明の実施形態のタッチパネルの構成の他の例を示す模式的断面図である。
【図５】本発明の実施形態のタッチパネル用導電性シートの第１電極層の第１の例を示す模式図である。
【図６】本発明の実施形態のタッチパネル用導電性シートの第２電極層の第１の例を示す模式図である。
【図７】本発明の実施形態のタッチパネル用導電性シートの第１電極層の第１の例と第２電極層の第１の例とを重ねた状態を示す模式図である。
【図８】本発明の実施形態のタッチパネル用導電性シートの第１帯状電極を示す模式図である。
【図９】本発明の実施形態のタッチパネル用導電性シートの第２帯状電極を示す模式図である。
【図１０】本発明の実施形態のタッチパネル用導電性シートの第１電極層の第２の例を示す模式図である。
【図１１】本発明の実施形態のタッチパネル用導電性シートの第２電極層の第２の例を示す模式図である。
【図１２】本発明の実施形態のタッチパネル用導電性シートの第１電極層の第２の例と第２電極層の第２の例とを重ねた状態を示す模式図である。
【図１３】本発明の実施形態のタッチパネル用導電性シートの第１電極層の第３の例を示す模式図である。
【図１４】本発明の実施形態のタッチパネル用導電性シートの第２電極層の第３の例を示す模式図である。
【図１５】本発明の実施形態のタッチパネル用導電性シートの第１電極層の第３の例と第２電極層の第３の例とを重ねた状態を示す模式図である。
【図１６】本発明の実施形態のタッチパネル用導電性シートの第１電極層の第４の例を示す模式図である。
【図１７】本発明の実施形態のタッチパネル用導電性シートの第２電極層の第４の例を示す模式図である。
【図１８】本発明の実施形態のタッチパネル用導電性シートの第１電極層の第４の例と第２電極層の第４の例とを重ねた状態を示す模式図である。
【図１９】従来のタッチパネル用導電性シートの第１電極層を示す模式図である。
【図２０】従来のタッチパネル用導電性シートの第２電極層を示す模式図である。
【図２１】従来のタッチパネル用導電性シートの第１電極層と第２電極層とを重ねた状態を示す模式図である。
【発明を実施するための形態】
【００１５】
以下に、添付の図面に示す好適実施形態に基づいて、本発明のタッチパネルおよびタッチパネル用導電性シートを詳細に説明する。
なお、以下において数値範囲を示す「〜」とは両側に記載された数値を含む。例えば、εが数値α〜数値βとは、εの範囲は数値αと数値βを含む範囲であり、数学記号で示せばα≦ε≦βである。
「具体的な数値で表された角度」、「平行」、「垂直」および「直交」等の角度は、特に記載がなければ、該当する技術分野で一般的に許容される誤差範囲を含む。
また、「同一」とは、特に記載がなければ、該当する技術分野で一般的に許容される誤差範囲を含む。
透明とは、光透過率が、波長３８０〜７８０ｎｍの可視光波長域において、４０％以上のことであり、好ましくは８０％以上、より好ましくは９０％以上のことである。
光透過率は、例えば、ＪＩＳ（日本工業規格）  Ｋ  ７３７５：２００８に規定される「プラスチック--全光線透過率および全光線反射率の求め方」を用いて測定されるものである。
【００１６】
図１は本発明の実施形態のタッチパネルの構成を示す模式的断面図である。図２は本発明の実施形態のタッチパネルを示す模式的平面図である。図３および図４は本発明の実施形態のタッチパネルの構成の他の例を示す模式的断面図である。
【００１７】
図１に示すように、導電部材としてのタッチパネル用導電性シート１０は、表示パネル２０上に、例えば、透明層１８を介して設けられる。
タッチパネル用導電性シート１０上には、透明層１５を介してカバー層１２が設けられている。タッチパネル用導電性シート１０はコントローラー１４（図２参照）に接続されている。
タッチパネル用導電性シート１０およびカバー層１２でタッチセンサ１３が構成され、タッチパネル用導電性シート１０、カバー層１２およびコントローラー１４により、タッチパネル１６が構成される。タッチパネル１６と表示パネル２０で、電子デバイスである表示機器が構成される。なお、電子デバイスは上述の表示機器に限定されるものではない。
カバー層１２の表面１２ａが、表示パネル２０の表示領域（図示せず）に表示された表示物の視認面となる。また、カバー層１２の表面１２ａが、タッチパネル１６のタッチ面であり、操作面となる。なお、タッチ面とは、指またはスタイラスペン等の指より細い先端を有する部材の接触を検出する面のことである。
【００１８】
コントローラー１４は静電容量方式のタッチセンサの検出に利用される公知のものにより構成される。タッチパネル１６では、カバー層１２の表面１２ａに対する指等の接触により、静電容量が変化した位置がコントローラー１４で検出される。上述のようにタッチパネル１６はタッチパネル用導電性シート１０を含む。タッチパネル用導電性シート１０を含むタッチパネル１６は、静電容量方式のタッチパネルとして好適に使用される。静電容量方式のタッチパネルには、相互容量方式のタッチパネルおよび自己容量方式のタッチパネルがあるが、特に相互容量方式のタッチパネルとして最適である。
【００１９】
カバー層１２は、タッチパネル用導電性シート１０を保護するためのものである。カバー層１２は、その構成は、特に限定されるものではない。カバー層１２には、例えば、板ガラスおよび強化ガラス等のガラス、ポリカーボネート（ＰＣ）、ポリエチレンテレフタレート（ＰＥＴ）、またはポリメタクリル酸メチル樹脂（ＰＭＭＡ)等のアクリル樹脂が用いられる。カバー層１２の表面１２ａは、上述のようにタッチ面となるため、必要に応じて表面１２ａにハードコート層を設けてもよい。なお、カバー層１２の厚みとしては０．１〜１．３ｍｍが使用され、特に０．１〜０．７ｍｍが好ましい。
【００２０】
透明層１８は、光学的に透明で絶縁性を有するものであり、かつ安定してタッチパネル用導電性シート１０と表示パネル２０とを固定することができれば、その構成は、特に限定されるものではない。透明層１８としては、例えば、光学的に透明な粘着剤（ＯＣＡ、Optical Clear Adhesive）およびＵＶ（Ultra Violet）硬化樹脂等の光学的に透明な樹脂（ＯＣＲ、Optical Clear Resin）を用いることができる。また、透明層１８は部分的に中空でもよい。
なお、透明層１８を設けることなく、表示パネル２０上に隙間をあけてタッチパネル用導電性シート１０を離間して設ける構成でもよい。この隙間のことをエアギャップともいう。
また、透明層１５は、光学的に透明で絶縁性を有するものであり、かつ安定してタッチパネル用導電性シート１０とカバー層１２とを固定することができれば、その構成は、特に限定されるものではない。透明層１５は透明層１８と同じものを用いることができる。
【００２１】
表示パネル２０は、表示領域（図示せず）を備えるものであり、例えば、液晶表示パネルである。表示パネル２０は、液晶表示パネルに限定されるものではなく、有機ＥＬ（Organic electro luminescence）表示パネルでもよい。
電子デバイスは、タッチパネル用導電性シート１０またはタッチパネル１６を有するものであり、タッチパネル用導電性シート１０またはタッチパネル１６を有すれば、特に限定されるものではない。電子デバイスとしては、例えば、上述の表示機器が挙げられる。電子デバイスとして、具体的には、携帯電話、スマートフォン、携帯情報端末、カーナビゲーションシステム、タブレット端末、ノート型のパーソナルコンピュータ、およびデスクトップ型のパーソナルコンピュータ等が挙げられる。
【００２２】
タッチパネル用導電性シート１０は、静電容量方式のタッチセンサ、特に相互容量方式のタッチセンサに利用されるものである。
タッチパネル用導電性シート１０では、透明絶縁部材３００を用いる。タッチパネル用導電性シート１０は、具体的には、図１に示すように、透明絶縁部材３００として、透明絶縁基体３０を用いることができ、透明絶縁基体３０の表面３０ａ上に第１電極層３２が設けられている。また、透明絶縁基体３０の裏面３０ｂ上に第２電極層４０が設けられている。また、第２電極層４０は、第１電極層３２と絶縁状態で対向して配置されている。図１では、透明絶縁基体３０の表面３０ａと裏面３０ｂとに直接第１電極層３２と第２電極層４０とが形成された構成であるが、透明絶縁基体３０と第１電極層３２との間、また透明絶縁基体３０と第２電極層４０との間に、電極層と透明絶縁基体との密着性を良くするための下地層（アンダーコート層）または密着強化層、また他の機能層を１層以上設けてもよい。
透明絶縁基体３０の表面３０ａが第１の面であり、透明絶縁基体３０の裏面３０ｂが第１の面に対向する第２の面である。透明絶縁基体３０の表面３０ａの上にカバー層１２が積層されており、透明絶縁基体３０の表面３０ａ側がタッチ面側、つまり接触を検出する側になる。すなわち、第１の面側がタッチ面側、つまり接触を検出する側になる。
【００２３】
図２に示すように、第１電極層３２は、複数の第１帯状電極３４を備える。複数の第１帯状電極３４は、第１の方向Ｄ１に沿って間隔をあけて配置され、かつ第１の方向Ｄ１に直交する第２の方向Ｄ２に延びるものである。第１帯状電極３４は、長尺状の電極である。
第１帯状電極３４は、複数の第１電極線３５と、複数の第１電極線３５が間隔をあけて電気的に接続される第１パッド３６とを有する。第１電極線３５は、後に詳細に説明するように屈曲形状を有する。
複数の第１帯状電極３４に対して、各第１帯状電極３４の第１パッド３６に第１の周辺配線３７が電気的に接続されている。各第１の周辺配線３７が互いに近接して配列されており、複数の第１の周辺配線３７はそれぞれ個別にコントローラー１４に接続するための端子に接続され、それらの端子は、透明絶縁基体３０の一辺３０ｃにて１つの端子接続領域３９にまとめられている。複数の第１の周辺配線３７をまとめて第１の周辺配線部３８という。
【００２４】
図２に示すように、第２電極層４０は、複数の第２帯状電極４２を備える。複数の第２帯状電極４２は、第２の方向Ｄ２に沿って間隔をあけて配置され、かつ第１の方向Ｄ１に延びるものである。第２帯状電極４２は、長尺状の電極である。
第２帯状電極４２は、複数の第２電極線４３と、複数の第２電極線４３が間隔をあけて電気的に接続される第２パッド４４とを有する。第２電極線４３は、後に詳細に説明するように屈曲形状を有する。
複数の第２帯状電極４２に対して、各第２帯状電極４２の第２パッド４４に第２の周辺配線４５が電気的に接続されている。各第２の周辺配線４５が互いに近接して配列されている。複数の第２の周辺配線４５はそれぞれ個別にコントローラー１４に接続するための端子に接続され、それらの端子は、透明絶縁基体３０の一辺３０ｃにて１つの端子接続領域４７にまとめられている。複数の第２の周辺配線４５をまとめて第２の周辺配線部４６という。
【００２５】
第１帯状電極３４と第２帯状電極４２とは、透明絶縁部材３００によって絶縁され、少なくとも一部を重ねて交差し配置されている。交差部５９は、第１帯状電極３４と第２帯状電極４２とが重なる領域であれば限定されない。より具体的には、透明絶縁基体３０の一方の面に対して垂直な方向Ｄｎ（図３参照）から見た際に、第２帯状電極４２は第１帯状電極３４に対して少なくとも一部を重ねて交差し配置されている。第１帯状電極３４と第２帯状電極４２を重ねた積層方向は上述の垂直な方向Ｄｎ（図１参照）と同じ方向である。複数の第１帯状電極３４と複数の第２帯状電極４２とにより、図２に示すタッチを検出する感知領域４８が構成される。感知領域４８がセンサー領域となる。また、第１電極層３２と第２電極層４０が設けられた感知領域４８の中で、図２に示すように、複数の第１帯状電極３４の両側の最外に配置された電極３４ａと、複数の第２帯状電極４２の両側の最外に配置された電極４２ａとを含まない感知領域を主感知領域４８ａと定義する。すなわち、主感知領域４８ａは、複数の第１帯状電極３４の両側の最外に配置された電極３４ａと、複数の第２帯状電極４２の両側の最外に配置された電極４２ａとを除いた感知領域である。
【００２６】
主感知領域４８ａ内に配置される複数の第１帯状電極３４は、後述のいずれの構成とした場合でも、検出感度を均一にするため、それぞれ同じ構成であることが好ましい。また、主感知領域４８ａ内に配置される複数の第２帯状電極４２も、後述のいずれの構成とした場合でも、検出感度を均一にするため、それぞれ同じ構成であることが好ましい。
最外に配置された電極３４ａと電極４２ａは他の帯状電極と異なり、感知領域４８の外に配置される第１の周辺配線３７および第２の周辺配線４５、および図示していないアース配線の影響を受け、検出感度を変化するため、第１の周辺配線３７および第２の周辺配線４５、アース配線のレイアウトに応じて、検出感度の調整のため、最外に配置された電極３４ａと電極４２ａとの電極形状を他の帯状電極と異ならせてもよい。
【００２７】
図１に示すように、１つの透明絶縁基体３０の表面３０ａに第１帯状電極３４を設け、裏面３０ｂに第２帯状電極４２を設けることにより、透明絶縁基体３０が収縮しても第１帯状電極３４と第２帯状電極４２との位置関係のズレを小さくすることができる。
第１の周辺配線３７および第２の周辺配線４５は、例えば、導体配線により形成される。タッチパネル用導電性シート１０を含めタッチパネル１６の各構成部材については、後に詳細に説明する。
【００２８】
タッチパネル用導電性シート１０では、透明絶縁部材３００（図１では透明絶縁基体３０）を介して、複数の第１帯状電極３４と複数の第２帯状電極４２とが平面視で重なって配置される領域が感知領域４８である。感知領域４８は、静電容量方式タッチパネルにおいて、指等の接触、すなわち、タッチの検出が可能な感知領域である。表示パネル２０の表示領域上に感知領域４８を重ねて、タッチパネル用導電性シート１０が表示パネル２０上に配置されている。このため、感知領域４８は可視領域でもある。表示パネル２０（図１参照）の表示領域上に画像が表示されれば、感知領域４８は画像表示領域となる。
第１の周辺配線部３８および第２の周辺配線部４６が形成されている領域には、例えば、遮光機能を有する加飾層(図示せず)が設けられる。加飾層で第１の周辺配線部３８および第２の周辺配線部４６を覆うことにより第１の周辺配線部３８および第２の周辺配線部４６が不可視とされる。
【００２９】
加飾層としては、第１の周辺配線部３８および第２の周辺配線部４６を不可視とすることができれば、その構成は特に限定されるものではなく、公知の加飾層を用いることができる。加飾層の形成には、スクリーン印刷法、グラビア印刷法およびオフセット印刷法等の各種の印刷法、転写法、ならびに蒸着法を用いることができ、カバー層１２に形成される。
【００３０】
タッチパネル用導電性シート１０は、図１および図２に示すものに、特に限定されるものではなく、例えば、図３および図４に示すタッチパネル用導電性シート１０のように、１つの透明絶縁基体３０に第１電極層３２が設けられ、もう１つ別の透明絶縁基体３１に第２電極層４０が設けられた構成でもよい。タッチパネル用導電性シート１０は、１つの透明絶縁基体３０の表面３０ａに、第１電極層３２が設けられた、透明絶縁基体３０の裏面３０ｂに、透明接着層４９を介して表面３１ａに第２電極層４０が設けられた透明絶縁基体３１が積層された構成でもよい。また、図４に示すように、１つの透明絶縁基体３０の表面３０ａに、第１電極層３２が設けられた、透明絶縁基体３０の裏面３０ｂに、透明接着層４９を介して裏面３１ｂに第２電極層４０が設けられた透明絶縁基体３１が積層された構成でもよい。すなわち、透明絶縁部材３００の第１面上に位置する第１電極層３２と、透明絶縁部材３００の第１面に対向する第２面上に位置する第２電極層４０を有する構造、つまり、第１電極層３２と第２電極層４０とが透明絶縁部材３００によって絶縁されている構造であればよい。図３においては、透明絶縁基体３０と透明接着層４９とで透明絶縁部材３００を構成し、図４においては、透明絶縁基体３０と透明接着層４９と透明絶縁基体３１とで透明絶縁部材３００を構成している。図３に示す構成でも図４に示す構成でも、透明絶縁基体３０の表面３０ａ側が、タッチ面側となる。つまり、第１電極層３２が第２電極層４０によりもタッチ面側、つまり接触を検出する側に配置される。
なお、図示してないが、透明絶縁基体３０上に絶縁膜を介して第１電極層３２と第２電極層４０を積層する構成（片面積層構成）でもよい。この場合、絶縁膜が透明絶縁部材３００に相当し、第１電極層３２がタッチ面側、つまり接触を検出する側に配置される。
【００３１】
なお、透明絶縁基体３１は透明絶縁基体３０と同じ構成でもよいし、異なる構成でもよい。透明接着層４９は、上述の透明層１８と同じものを用いることができる。図３に示す構成でも図４に示す構成でも、第１帯状電極３４と第２帯状電極４２を重ねた積層方向は垂直な方向Ｄｎと同じ方向である。
【００３２】
次に、タッチパネル用導電性シートの第１電極層および第２電極層について説明する。
図５は本発明の実施形態のタッチパネル用導電性シートの第１電極層の第１の例を示す模式図であり、図６は本発明の実施形態のタッチパネル用導電性シートの第２電極層の第１の例を示す模式図である。図７は本発明の実施形態のタッチパネル用導電性シートの第１電極層の第１の例と第２電極層の第１の例とを重ねた状態を示す模式図である。
【００３３】
図５に示すように、第１電極層３２の第１帯状電極３４は、複数の第１電極線３５が、第１の方向Ｄ１に沿って間隔をあけて配置され、かつ第１方向に直交する第２の方向Ｄ２に延びている。第１電極線３５は屈曲形状を有する。屈曲形状とは、直線形状を有する複数の直線部が屈曲部を介して連なる折れ線形状のことである。
また、第１電極層３２には、隣接する第１帯状電極３４間に、第１電極線３５と電気的に接続されていない複数の第１ダミー線５０を有する。第１ダミー線５０は、図示の都合、第１電極線３５と線種を変えて表示しているが、第１パッド３６に電気的に接続されていない点以外は第１電極線３５と同じ構成であり、第１ダミー線５０も屈曲形状を有する。
第１帯状電極３４は、第２の方向Ｄ２において間隔をあけて設けられ、かつ第１の方向Ｄ１に延びる、複数の第１接続線５１を有する。第１接続線５１は、１つの第１帯状電極３４において隣接する第１電極線３５間を電気的に接続するものであるが、隣接する第１帯状電極３４の第１電極線３５同士を電気的に接続するものではない。
第１接続線５１も屈曲形状を有する。
【００３４】
第１電極線３５は、タッチを検出する機能を有するものである。また、第１電極線３５と電気的に接続されている第１接続線５１もタッチを検出する機能を有するものである。
第１ダミー線５０は、第１電極線３５とは電気的に接続されておらず、フローティング線に相当するものであり、タッチを検出するものではない。しかし、第１ダミー線５０は、第１電極層３２と第２電極層４０を重ねた際に帯状電極のパターン見え、および電極線の線見え等を抑制するための機能を有するものである。
【００３５】
図６に示すように、第２電極層４０の第２帯状電極４２は、複数の第２電極線４３が、第２の方向Ｄ２に沿って間隔をあけて配置され、第１の方向Ｄ１に延びている。第２電極線４３は屈曲形状を有する。屈曲形状とは、直線形状を有する複数の直線部が屈曲部を介して連なる折れ線形状のことである。
第２帯状電極４２は、第１の方向Ｄ１において間隔をあけて設けられ、かつ第２の方向Ｄ２に延びる、複数の第２接続線５４を有する。第２接続線５４は、１つの第２帯状電極４２において隣接する第２電極線４３間を電気的に接続するものであるが、隣接する第２帯状電極４２の第２電極線４３同士を電気的に接続するものではない。第２接続線５４は、第１電極線３５と同じ構成であり、第１電極線３５と同じく屈曲形状を有する。
第２電極線４３は、タッチを検出する機能を有するものである。また、第２電極線４３に電気的に接続されている第２接続線５４も、タッチを検出する機能を有するものである。
【００３６】
図５に示す第１電極層３２では、第１接続線５１は、図６に示す第２電極層４０の第２電極線４３の隙間５７に位置するように配置されている。
図６に示す第２電極層４０では、第２接続線５４は、図５に示す第１電極層３２の第１電極線３５の隙間５６に位置するように配置されている。
図７に示すように、第１電極層３２と第２電極層４０とを重ねた状態では、格子５８が構成され、メッシュ状のパターンになる。これは第１電極層３２では、第１電極線３５以外に第１ダミー線５０および第１接続線５１を設け、第２電極層４０では、第２電極線４３以外に第２接続線５４を設けることによるものである。なお、図７は、第１電極層３２側つまりタッチ面側から見た場合の状態を示す。
【００３７】
図８に示すように、第１電極線３５は、直線部３５ａと屈曲部３５ｂとを有する。直線部３５ａは屈曲部３５ｂ毎に向きを変えて配置される。直線部３５ａの向きを示す内角の角度は、第２の方向Ｄ２に平行な直線Ｈ１に対して絶対値でθ１である。第１電極線３５は、第２の方向Ｄ２に平行な直線Ｊ１と第２の方向Ｄ２に平行な直線Ｊ２との間で屈曲している。図８に示した例では、屈曲部３５ｂは、直線Ｊ１および直線Ｊ２のいずれかに接する。
例えば、直線部３５ａの長さＬ１は、直線部３５ａにおける第１の方向Ｄ１の成分の長さＬｘが、第１の方向Ｄ１における第１電極線３５間のピッチｐ１と等しくなるように設定してもよい。ピッチｐ１および角度θ１は、タッチパネルとして要求される位置検出の精度、および表示パネル２０における画素形状などに応じて適宜設定される。ピッチｐ１の好ましい範囲は２００μｍ〜１０００μｍである。角度θ１の好ましい範囲は３０°〜１２０°であり、特に８０°〜１００°が特に好ましい。
【００３８】
図９に示すように、第２電極線４３は、直線部４３ａと屈曲部４３ｂとを有する。直線部４３ａは屈曲部４３ｂ毎に向きを変えて配置される。直線部４３ａの向きを示す内角の角度は、第１の方向Ｄ１に平行な直線Ｈ２に対して絶対値でθ２である。第２電極線４３は、第１の方向Ｄ１に平行な直線Ｊ３と第１の方向Ｄ１に平行な直線Ｊ４との間で屈曲している。図９に示した例では、屈曲部４３ｂは、直線Ｊ３および直線Ｊ４のいずれかに接する。
例えば、直線部４３ａの長さＬ２は、直線部４３ａにおける第２の方向Ｄ２の成分の長さＬｙが、第２の方向Ｄ２における第２電極線４３間のピッチｐ２と等しくなるように設定してもよい。ピッチｐ２および角度θ２は、タッチパネルとして要求される位置検出の精度、および表示パネル２０における画素形状などに応じて適宜設定される。ピッチｐ２の好ましい範囲は２００μｍ〜１０００μｍである。角度θ２の好ましい範囲は３０°〜１２０°であり、特に８０°〜１００°が特に好ましい。
【００３９】
第１帯状電極３４の電極幅をＷ１とし、第２帯状電極４２の電極幅をＷ２とするとき、第１電極層３２と第２電極層４０が設けられた感知領域４８の中で、複数の第１帯状電極３４と複数の第２帯状電極４２のそれぞれ最外に配置された電極３４ａと電極４２ａを含まない主感知領域４８ａ（図２参照）において、Ｗ１＜Ｗ２を満たす第１帯状電極３４と第２帯状電極４２との組合せが少なくとも１つある。
第１帯状電極３４の電極幅Ｗ１は、図８に示すように、１つの第１帯状電極３４において、１つの第１パッド３６に接続される複数の第１電極線３５のうち、第１の方向Ｄ１における主感知領域４８ａ内の最外電極線の外側間の距離のことである。第１パッド３６では、第１ダミー線５０もあるが、第１ダミー線５０は、電極幅Ｗ１に含まれない。
第２帯状電極の電極幅Ｗ２は、図９に示すように、１つの第２帯状電極４２において、１つの第２パッド４１に接続される複数の第２電極線４３のうち、第２の方向Ｄ２における主感知領域４８ａ内の最外電極線の外側間の距離のことである。
【００４０】
第１帯状電極３４の電極幅Ｗ１は、例えば、１〜３ｍｍである。第１電極線３５のピッチｐ１は、例えば、１００〜３０００μｍであり、好ましくは、２００〜１０００μｍである。第２帯状電極４２の電極幅Ｗ２は、例えば、２〜４ｍｍである。第２電極線４３間のピッチｐ２は、例えば、１００〜４０００μｍであり、好ましくは、２００〜１０００μｍである。
第１電極層３２と第２電極層４０とを重ねた状態で形成されるメッシュ状のパターンの格子の一辺の長さは、メッシュ状のパターンが視認されにくいという観点から５０〜５００μｍであり、好ましくは２００〜４００μｍである。このことから、図７に示すように、格子５８を有するメッシュ状のパターンを構成する場合には、第１電極線３５のピッチｐ１および第２電極線４３間のピッチｐ２は、２００〜４００μｍであることが好ましい。
【００４１】
ここで、図１に示すように、第１電極層３２と第２電極層４０とではカバー層１２の表面１２ａからの距離が異なる。このことにより、第１電極層３２と第２電極層４０とでは検出感度が異なり、これが原因でスタイラスペンのような指よりも細い先端を有する部材については誤検出することがあることを見出した。これに対して、上述のように主感知領域４８ａ内の第１帯状電極３４の電極幅Ｗ１と第２帯状電極４２の電極幅Ｗ２とについて、Ｗ１＜Ｗ２とすることにより、第１電極層３２側の検出感度が第２電極層４０の検出感度と同程度になる。このため、指よりも細い先端を有する部材に対する検出感度が向上し、例えば、先端径２ｍｍのとても細い先端を有する部材であっても誤検出を抑制することができる。
Ｗ１＜Ｗ２とするのは、スタイラスペン等の指よりも細い先端を有する部材を用いた際の誤検出の抑制であるため、少なくとも主感知領域４８ａ（図２参照）において、上述のＷ１＜Ｗ２であればよい。細い先端を有するスタイラスペン等の部材の検知が必要とされるは感知領域４８の内でも中心部であり、主感知領域４８ａを除く感知領域４８のエッジ周辺部は上述の通り、周辺配線、アース配線等の影響で検出感度が落ちる場合があり、指よりも細い先端を有するスタイラスペン等の部材のタッチを検出しないように設定する場合もあり、その場合は、主感知領域４８ａを除く感知領域４８のエッジ周辺部にある電極３４ａと電極４２ａとは、Ｗ１＜Ｗ２とする必要はない。もちろん、感知領域４８内全領域でＷ１＜Ｗ２を満たすものでもよい。以下、第１帯状電極３４の電極幅Ｗ１と第２帯状電極４２の電極幅Ｗ２とについてＷ１＜Ｗ２とする理由についてさらに説明する。
【００４２】
ここで、図１９は従来のタッチパネル用導電性シートの第１電極層を示す模式図である。図２０は従来のタッチパネル用導電性シートの第２電極層を示す模式図である。図２１は従来のタッチパネル用導電性シートの第１電極層と第２電極層とを重ねた状態を示す模式図である。
なお、図１９〜図２１において、図５〜図７に示す構成と同一構成物には同一符号を付して、その詳細な説明は省略する。
【００４３】
図１９に示す従来の第１電極層１００においては、第１帯状電極１０２では、第１パッド３６に、複数の第１電極線３５が接続されている。また、図２０に示す従来の第２電極層１０４においては、第２帯状電極１０６では、複数の第２電極線４３が第２パッド４４に接続されている。図２１に示すように、第１電極層１００と第２電極層１０４を重ねた状態でメッシュ状となる。しかしながら、第１帯状電極３４の電極幅Ｗ１と、第２帯状電極４２の電極幅Ｗ２とはＷ１＝Ｗ２であり、第１帯状電極３４と第２帯状電極４２とが同じ構成である。カバー層１２の表面１２ａからの距離が異なる場合、第１電極層１００と第２電極層１０４では検出感度が異なり、このことが原因で誤検出を起こす。
検出感度が異なることに関し、細い先端を有する部材に関する電極の検出感度は、第１帯状電極と第２帯状電極との電極幅比で調整可能であることが判明した。具体的には、タッチ面（接触を検出する側）に近い第１帯状電極の電極幅をタッチ面（接触を検出する側）から遠い第２帯状電極の電極幅より小さくすることにより、第１帯状電極と第２帯状電極との検出感度のバランスが整い、細い先端を有する部材の誤検出を抑制できることを見出した。図１９に示す従来の第１電極層１００の構成に対して、帯状電極の電極幅を、図５に示すように、第１帯状電極３４の電極幅Ｗ１を、図６に示す第２帯状電極４２の電極幅Ｗ２よりも小さい構成とすることにより、指より細い先端を有する部材に対する第１帯状電極３４と、第２帯状電極４２との検出感度が同じになるようになり、誤検出を抑制することができた。
【００４４】
なお、第１帯状電極３４の電極幅Ｗ１と第２帯状電極４２の電極幅Ｗ２とについて、Ｗ１＜Ｗ２としたが、誤検出と感度の両立を図るには、１．０＜Ｗ２／Ｗ１≦３．０であることが好ましく、より好ましくは１．２≦Ｗ２／Ｗ１≦２．０である。
なお、感知領域４８内全領域で、Ｗ２／Ｗ１に関する上述の数値範囲を満たす必要はなく、主感知領域４８ａにおいてＷ１＜Ｗ２を満たす第１帯状電極３４と第２帯状電極４２とが、少なくとも上述の１．０＜Ｗ２／Ｗ１≦３．０（より好ましくは１．２≦Ｗ２／Ｗ１≦２．０）を満たすことが好ましい。
【００４５】
図１０は本発明の実施形態のタッチパネル用導電性シートの第１電極層の第２の例を示す模式図である。図１１は本発明の実施形態のタッチパネル用導電性シートの第２電極層の第２の例を示す模式図である。図１２は本発明の実施形態のタッチパネル用導電性シートの第１電極層の第２の例と第２電極層の第２の例とを重ねた状態を示す模式図である。
なお、図１０〜図１２において、図５〜図７に示す構成と同一構成物には同一符号を付して、その詳細な説明は省略する。
【００４６】
図１０に示す第１電極層３２の第１帯状電極３４は、図５に示す第１電極層３２の第１帯状電極３４に比して、さらに第１電極線３５と電気的に接続されていない複数の第１非接続線５２を有する点以外は、図５に示す第１電極層３２の第１帯状電極３４と同じ構成である。第１非接続線５２は、第１電極線３５、第１パッド３６および第１接続線５１と電気的に接続されていないものであり、電気的にフローティングの状態にある。例えば、第１電極線３５を不連続にして第１非接続線５２としている。
第１非接続線５２を設けることにより、電極幅Ｗ１を変えることなく第１電極層３２の検出感度をさらに調整することができる。なお、第１非接続線５２は、図示の都合、第１電極線３５と線種を変えて表示しているが、第１電極線３５と同じ構成である。
【００４７】
図１１に示す第２電極層４０の第２帯状電極４２は、図６に示す第２電極層４０の第２帯状電極４２に比して、さらに第２電極線４３と電気的に接続されていない複数の第２非接続線５５を有する点以外は、図６に示す第２電極層４０の第２帯状電極４２と同じ構成である。第２非接続線５５は、第２電極線４３と電気的に接続されていないものであり、電気的にフローティングの状態にある。第２非接続線５５を設けることにより、電極幅Ｗ２を変えることなく第２電極層４０の検出感度をさらに調整することができる。
図１０に示す第１電極層３２の第１帯状電極３４の電極幅Ｗ１と、図１１に示す第２電極層４０の第２帯状電極４２の電極幅Ｗ２はＷ１＜Ｗ２の関係にある。
なお、図１２に示すように、第１電極層３２と第２電極層４０を重ねた場合、格子５８が構成され、メッシュ状のパターンになる。
【００４８】
また、第１帯状電極３４内の第１非接続線５２の合計面積をＡ１とし、第１帯状電極３４内の第１電極線３５と第１接続線５１との合計面積をＢ１とし、第１帯状電極３４内の第１非接続線５２の占有率をＣ１とするとき、Ｃ１＝Ａ１／（Ａ１＋Ｂ１）である。
第２帯状電極４２内の第２非接続線５５の合計面積をＡ２とし、第２帯状電極４２内の第２電極線４３と第２接続線５４との合計面積をＢ２とし、第２帯状電極４２内の第２非接続線５５の占有率をＣ２とするとき、Ｃ２＝Ａ２／（Ａ２＋Ｂ２）である。第１帯状電極３４内の第１非接続線５２の占有率Ｃ１と、第２帯状電極４２内の第２非接続線の占有率Ｃ２とは、Ｃ２＜Ｃ１であることがスタイラスペン等の指より細い先端を有する部材に対する感度を向上させる点で好ましい。また、１．０＜Ｃ１／Ｃ２≦３．０であることがより好ましく、さらに好ましくは１．２≦Ｃ１／Ｃ２≦２．０である。
【００４９】
図１３は本発明の実施形態のタッチパネル用導電性シートの第１電極層の第３の例を示す模式図である。図１４は本発明の実施形態のタッチパネル用導電性シートの第２電極層の第３の例を示す模式図である。図１５は本発明の実施形態のタッチパネル用導電性シートの第１電極層の第３の例と第２電極層の第３の例とを重ねた状態を示す模式図である。
なお、図１３〜図１５において、図１０〜図１２に示す構成と同一構成物には同一符号を付して、その詳細な説明は省略する。
【００５０】
図１３に示す第１電極層３２の第１帯状電極３４は、図１０に示す第１電極層３２の第１帯状電極３４に比して、第１非接続線５２の割合が多い点以外は、図５に示す第１電極層３２の第１帯状電極３４と同じ構成である。図１３では、１つの第１帯状電極３４では、第１電極線３５が２本である。
図１４に示す第２電極層４０の第２帯状電極４２は、図１１に示す第２電極層４０の第２帯状電極４２と同じ構成である。
なお、図１５に示すように、第１電極層３２と第２電極層４０を重ねた場合、格子５８が構成され、メッシュ状のパターンになる。
図１３に示す第１電極層３２の第１帯状電極３４の電極幅Ｗ１と、図１４に示す第２電極層４０の第２帯状電極４２の電極幅Ｗ２はＷ１＜Ｗ２の関係にある。
しかしながら、図１３に示す第１電極層３２の第１帯状電極３４内の第１非接続線５２の占有率Ｃ１と、図１４に示す第２電極層４０の第２帯状電極４２内の第２非接続線の占有率Ｃ２は、Ｃ２＜Ｃ１である。Ｃ２＜Ｃ１であることにより、スタイラスペン等の指より細い先端を有する部材に対する検出感度を高めることができる。
なお、図１０に示す第１帯状電極３４と図１３に示す第１帯状電極３４とでは、図１０に示す第１帯状電極３４の方がＣ１が大きい。
【００５１】
第１帯状電極３４では第１電極線３５が屈曲形状であり、第２帯状電極４２では第２電極線４３が屈曲形状であれば、上述の構成に限定されるものではない。
図１６は本発明の実施形態のタッチパネル用導電性シートの第１電極層の第４の例を示す模式図である。図１７は本発明の実施形態のタッチパネル用導電性シートの第２電極層の第４の例を示す模式図である。図１８は本発明の実施形態のタッチパネル用導電性シートの第１電極層の第４の例と第２電極層の第４の例とを重ねた状態を示す模式図である。
なお、図１６〜図１８において、図５〜図７に示す構成と同一構成物には同一符号を付して、その詳細な説明は省略する。図１６〜図１８は、第１帯状電極３４と第２帯状電極４２が重なる交差部５９（図２参照）を示す。また、図１６〜図１８では、図示の都合、線の太さを変えているが、線の太さは実際のものと関係はない。
【００５２】
図１６に示す第１電極層３２の第１帯状電極３４では、例えば、屈曲形状の第１電極線３５が２つあり、２つの第１電極線３５を接続する第１接続線５１が設けられている。また、第１電極線３５の間に第１非接続線５２が設けられている。第１電極線３５の周辺に第１ダミー線５０が設けられている。
図１７に示す第２帯状電極４２では、例えば、屈曲形状の第２電極線４３が３つあり、３つの第２電極線４３を接続する第２接続線５４が、第２の方向Ｄ２に沿って間隔をあけて２つ設けられている。また、第２電極線４３の間に第２非接続線５５が設けられている。第２電極線４３の周辺には、隣接する第２帯状電極４２間に配置され、第２電極線４３と絶縁された第２ダミー線６０が設けられている。
【００５３】
図１８に示すように、第１電極層３２と第２電極層４０を重ねた場合、交差部５９（図２参照）において格子５８が構成され、メッシュ状のパターンになる。第４の例では同形状の正方形の格子が配置されたメッシュ状のパターンを示しているが、格子形状はひし形または正六角形、正三角形でもよい。
第１帯状電極３４における第１電極線３５、第１ダミー線５０、第１接続線５１および第１非接続線５２の配置パターンと、第２帯状電極４２における第２電極線４３、第２接続線５４、第２非接続線５５および第２ダミー線６０の配置パターンとは、第１帯状電極３４の電極幅Ｗ１と、第２帯状電極４２の電極幅Ｗ２とをＷ１＜Ｗ２とすることにより決定される。また、第１帯状電極３４と第２帯状電極４２が重なる交差部５９において形成されるメッシュ状のパターンにより決定してもよい。
なお、図１６に示す第１帯状電極３４の電極幅Ｗ１と、図１７に示す第２帯状電極４２の電極幅Ｗ２とはＷ１＜Ｗ２を満たす。また、第１非接続線５２の占有率Ｃ１と、第２非接続線の占有率Ｃ２がＣ２＜Ｃ１を満たすことが好ましい。この場合、第１非接続線５２の比率を増やすか、または第２非接続線５５の比率を減らすことにより、Ｃ２＜Ｃ１を満たすことができる。
【００５４】
第１電極層３２において第１電極線３５は線幅が１０μｍ以下の金属細線であることが好ましく、第２電極層４０において第２電極線４３は線幅が１０μｍ以下の金属細線であることが好ましい。特に好ましくは第１電極線３５と第２電極線４３との線幅が同じで、かつ線幅が１．０μｍ以上５．０μｍ以下である。ここで、線幅が同じであるとは、±１０％の範囲内にあることである。このため、線幅５．０μｍの場合、線幅が４．５μｍ〜５．５μｍであれば、線幅は同じとする。
また、第１電極線３５、第１ダミー線５０、第１非接続線５２および第１接続線５１、ならびに第２電極線４３、第２非接続線５５、第２接続線５４および第２ダミー線６０は、線幅が同じであり、かつ線幅が５μｍ以下であることが好ましく、特に線幅が１．０μｍ以上５．０μｍ以下であることが好ましい。ここで、線幅が同じであるとは、±１０％の範囲内にあることである。このため、線幅５．０μｍの場合、線幅が４．５μｍ〜５．５μｍであれば、線幅は同じとする。
上述の第１電極層３２および第２電極層４０にある線の線幅は、いずれも平均値の値である。
以下、第１電極線３５、第１ダミー線５０、第１非接続線５２および第１接続線５１、ならびに第２電極線４３、第２非接続線５５および第２接続線５４をまとめて、単に線ともいう。
上述の第１電極層３２および第２電極層４０にある線の線幅は、まず、対象となる線の透明絶縁基体３０の表面３０ａに対して垂直な方向の画像を取得し、画像をパーソナルコンピュータに取り込み、線を抽出する。抽出した線に沿って線幅を求め、複数の線幅を得て、複数の線幅の線の平均値を得る。この平均値を線幅とする。
【００５５】
上述の第１電極層３２および第２電極層４０にある線の厚みは、特に限定されるものではないが、０．０５〜１０μｍが好ましく、０．１〜１μｍであることが最も好ましい。厚みが上述の範囲であれば、低抵抗で、かつ耐久性に優れたものを比較的容易に形成できる。
線の厚みを測定する場合、測定対象となる線の断面画像を取得し、断面画像をパーソナルコンピュータに取り込み、モニタに表示し、モニタ上にて、測定対象となる線の厚みを規定する２箇所に、それぞれ水平線をひき、水平線間の長さを求める。これにより、測定対象となる線の厚みを得ることができる。
【００５６】
以下、タッチパネルの各部材について説明する。
まず、第１電極線、第１ダミー線、第１非接続線および第１接続線、ならびに第２電極線、第２非接続線および第２接続線について説明する。
＜第１電極線、第１ダミー線、第１非接続線および第１接続線、ならびに第２電極線、第２非接続線および第２接続線＞
上述の第１電極線３５、第１ダミー線５０、第１非接続線５２および第１接続線５１、ならびに第２電極線４３、第２非接続線５５および第２接続線５４は、電気導電性を有するものであり、例えば、上述のように金属細線により構成される。金属細線は、例えば、金属、または合金により構成され、銅、アルミニウムもしくは銀、またはそれらの合金により構成することができる。金属細線には、抵抗値の観点から銅または銀が含まれることが好ましい。また、金属細線は、金属粒子とバインダーが含有された、例えば、金属銀およびゼラチンまたはアクリルスチレン系ラテックス等の高分子バインダーが含有されたものでものよい。
【００５７】
金属細線は、上述の金属、または合金により構成されるものに限定されるものではなく、例えば、金属酸化物粒子、銀ペーストおよびは銅ペースト等の金属ペースト、ならびに銀ナノワイヤおよび銅ナノワイヤ等の金属ナノワイヤ粒子を含むものであってもよい。
また、金属細線は、単層構造であっても、多層構造であってもよい。金属細線としては、例えば、酸窒化銅層と銅層と酸窒化銅層とが順次積層された構造、またはモリブデン（Ｍｏ）とアルミニウム（Ａｌ）とモリブデン（Ｍｏ）とが順次積層された構造とすることができる。
金属細線の反射率を小さくするために、金属細線の表面を硫化または酸化処理する黒化処理して形成してもよい。さらには、金属細線を見えにくくする黒化層を設ける構成でもよい。黒化層は、例えば、金属細線の反射率を小さくするものである。黒化層は、窒化銅、酸化銅、酸窒化銅、ＡｇＯ、Ｐｄ、カーボンまたはその他の窒化物または酸化物等により構成することができる。黒化層は金属細線の視認される側、つまりタッチ面側に配置される。
【００５８】
次に、上述の第１電極層３２および第２電極層４０に設けられる第１電極線３５、第１ダミー線５０、第１非接続線５２および第１接続線５１、ならびに第２電極線４３、第２非接続線５５および第２接続線５４の製造方法について説明する。
＜製造方法＞
第１電極層３２および第２電極層４０に設けられる第１電極線３５、第１ダミー線５０、第１非接続線５２および第１接続線５１、ならびに第２電極線４３、第２非接続線５５および第２接続線５４の製造方法は、透明絶縁基体３０等に線を形成することができれば、特に限定されるものではなく、特開２０１４−１５９６２０号公報および特開２０１２−１４４７６１号公報等に記載のめっき法、特開２０１５−２２５９７号公報等に記載の銀塩法、特開２０１４−２９６１４号公報等に記載の蒸着法、ならびに特開２０１１−２８９８５号公報等に記載の導電性インクを用いた印刷法等が適宜利用可能である。
【００５９】
＜第１の周辺配線部および第２の周辺配線部＞
第１の周辺配線部３８および第２の周辺配線部４６に形成される第１の周辺配線３７および第２の周辺配線４５の線幅（ライン）は５０μｍ以下が好ましく、３０μｍ以下がより好ましく、１５μｍ以下が特に好ましい。第１の周辺配線３７および第２の周辺配線４５の間隔（スペース）は５０μｍ以下が好ましく、３０μｍ以下がより好ましく、１５μｍ以下が特に好ましい。線幅および間隔が上述の範囲であれば、第１の周辺配線部３８および第２の周辺配線部４６の領域が狭くできるので好ましい。
なお、第１の周辺配線３７および第２の周辺配線４５も、上述の線の製造方法で形成することができ、第１の周辺配線３７と第１帯状電極３４とは、また第２の周辺配線４５と第２帯状電極４２とは、同一材料で同一工程で同時に形成できる。
【００６０】
＜透明絶縁基体＞
透明絶縁基体３０、３１は、第１電極層３２および第２電極層４０を設けることができれば、その種類は特に限定されるものではない。透明絶縁基体３０、３１の材料としては、例えば、透明樹脂材料および透明無機材料等が挙げられる。
透明樹脂材料としては、具体的には、例えば、トリアセチルセルロース等のアセチルセルロース系樹脂、ポリエチレンテレフタレート（ＰＥＴ）、ポリエチレンナフタレート（ＰＥＮ）等のポリエステル系樹脂、ポリエチレン（ＰＥ）、ポリメチルペンテン、シクロオレフィンポリマー（ＣＯＰ）、シクロオレフィンコポリマー（ＣＯＣ）等のオレフィン系樹脂、ポリメチルメタクリレート等のアクリル系樹脂、ポリウレタン系樹脂、ポリエーテルサルホン、ポリカーボネート、ポリスルホン、ポリエーテル、ポリエーテルケトン、アクロニトリル、およびメタクリロニトリル等が挙げられる。透明樹脂材料の好ましい厚みとしては、２０〜２００μｍである。
透明無機材料としては、具体的には、例えば、無アルカリガラス、アルカリガラス、化学強化ガラス、ソーダ硝子、カリ硝子、鉛ガラス等の硝子、透光性圧電セラミックス（ＰＬＺＴ（チタン酸ジルコン酸ランタン鉛））等のセラミックス、石英、蛍石およびサファイア等が挙げられる。透明無機材料の好ましい厚みは、０．１〜１．３ｍｍである。
【００６１】
透明絶縁基体３０、３１の他の好適態様としては、第１電極層３２および第２電極層４０が設けられる面上に高分子を含む下地層を有することが好ましい。この下地層上に、第１電極層３２および第２電極層４０を形成することにより、第１電極層３２および第２電極層４０と透明絶縁基体３０、３１との密着性がより向上する。
下地層の形成方法は特に限定されるものではないが、例えば、高分子を含む下地層形成用組成物を基板上に塗布して、必要に応じて加熱処理を施す方法が挙げられる。下地層形成用組成物には、必要に応じて、溶媒が含まれていてもよい。溶媒の種類は特に限定されるものではない。また、高分子を含む下地層形成用組成物として、ゼラチン、アクリル樹脂、ウレタン樹脂、または無機または高分子の微粒子を含むアクリルスチレン系ラテックスを使用してもよい。
下地層の厚みは特に限定されるものではないが、第１電極層３２および第２電極層４０と透明絶縁基体３０との密着性がより優れる点で、０．０２〜２．０μｍが好ましく、０．０３〜１．５μｍがより好ましい。
なお、必要に応じて透明絶縁基体３０と第１電極層３２と第２電極層４０との間に他の層として、上述の下地層以外に、例えば、紫外線吸収層を備えていてもよい。
また、必要に応じて以下の機能膜を形成してもよい。
【００６２】
＜保護層＞
透明な保護層を第１電極線３５、第２電極線４３上に形成してもよい。保護層としては、ゼラチン、アクリル樹脂、ウレタン樹脂、アクリルスチレン系ラテックス等の有機膜、および、二酸化シリコン等の無機膜を使用することができ、膜厚は、１０ｎｍ以上１００００ｎｍ以下であることが好ましい。
また、必要に応じて、保護層上に透明コート層を形成してもよい。透明コート層はアクリル樹脂、ウレタン樹脂等の有機膜が使用され、感知領域４８に形成され、膜厚は１μｍ以上１００μｍ以下である。
【００６３】
＜周辺配線絶縁膜＞
図２に示す第１の周辺配線３７、第２の周辺配線４５上に周辺配線のマイグレーション防止および周辺配線の腐食を防止する目的で、周辺配線絶縁膜を形成してもよい。周辺配線絶縁膜としてはアクリル樹脂、ウレタン樹脂等の有機膜が使用され、膜厚は１μｍ以上３０μｍ以下が好ましい。周辺配線絶縁膜は第１の周辺配線３７、第２の周辺配線４５のどちらか一方のみに形成してもよい。
【００６４】
本発明は、基本的に以上のように構成されるものである。以上、本発明のタッチパネルおよびタッチパネル用導電性シートについて詳細に説明したが、本発明は上述の実施形態に限定されず、本発明の主旨を逸脱しない範囲において、種々の改良または変更をしてもよいのはもちろんである。
【実施例】
【００６５】
以下に実施例を挙げて本発明の特徴をさらに具体的に説明する。以下の実施例に示す材料、試薬、使用量、物質量、割合、処理内容、処理手順等は、本発明の趣旨を逸脱しない限り適宜変更することができる。従って、本発明の範囲は以下に示す具体例により限定的に解釈されるべきものではない。
本実施例では、タッチパネルの構成に関し第１電極層および第２の電極層の電極パターンならびにサイズを変えて、以下に示す実施例１〜実施例１１、実施例２１〜実施例２８、実施例３１〜実施例３８および実施例４１〜実施例４４ならびに比較例１および比較例２を作製し、それぞれについて感度を評価した。
実施例１〜実施例１１、実施例２１〜実施例２８、実施例３１〜実施例３８および実施例４１〜実施例４４ならびに比較例１および比較例２について、第１電極層および第２の電極層の電極パターンならびにサイズを下記表１に示し、さらに感度の評価結果を下記表１に示す。なお、本実施例では、タッチパネルに図１に示す構成のタッチパネル１６を用いた。
以下、実施例１〜実施例１１、実施例２１〜実施例２８、実施例３１〜実施例３８および実施例４１〜実施例４４ならびに比較例１および比較例２について説明する。【００６６】
実施例１〜実施例１１は、第１電極層を図５に示す構成とし、第２電極層を図６に示す構成とした。図５に示す第１電極層と図６に示す第２電極層の電極パターンを第１パターンという。
実施例２１〜２８は、第１電極層を図１０に示す構成とし、第２電極層を図１１に示す構成とした。図１０に示す第１電極層と図１１に示す第２電極層の電極パターンを第２パターンという。
実施例３１〜３８は、第１電極層を図１３に示す構成とし、第２電極層を図１４に示す構成とした。図１３に示す第１電極層と図１４に示す第２電極層の電極パターンを第３パターンという。
実施例４１〜実施例４４は、第１電極層を図１６に示す構成とし、第２電極層を図１７に示す構成とした。図１６に示す第１電極層と図１７に示す第２電極層の電極パターンを第４パターンという。
比較例１および比較例２は、第１電極層を図１９に示す構成とし、第２電極層を図２０に示す構成とした。図１９に示す第１電極層と図２０に示す第２電極層の電極パターンを第５パターンという。【００６７】
実施例１〜実施例１１、実施例２１〜実施例２８、実施例３１〜実施例３８および実施例４１〜実施例４４ならびに比較例１および比較例２では、いずれの線も線幅を４μｍとした。
タッチパネルの構成としては、カバー層に厚みが０．４ｍｍの強化ガラスを用いた。カバー層とタッチパネル用導電性シートとの間の透明層には、光学的に透明な粘着剤（ＯＣＡ、Optical Clear Adhesive、３Ｍ社製  ８１４６−４（製品番号）  厚み７５μｍ）を用いた。
第１電極層は、厚み３８ｎｍの酸窒化銅層と厚み５００ｎｍの銅層と厚み３８ｎｍの酸窒化銅層の積層構造の線を用いて構成した。
第２電極層は、厚み３８ｎｍの酸窒化銅層と厚み５００ｎｍの銅層と厚み３８ｎｍの酸窒化銅層の積層構造の線を用いて構成した。
透明絶縁基体には厚み５０μｍのシクロオレフィンポリマー（ＣＯＰ）基材を用いた。【００６８】
タッチパネルの製造方法について説明する。
透明絶縁基体として、厚さが５０μｍのシクロオレフィンポリマー基材（以下、単に基材という。）を準備した。基材の第１の面と第２の面に、塗液を用いて１．２μｍの厚さを有するアクリル樹脂からなる下地層を形成した。
そして、基材の第１の面の下地層の上に、スパッタ法を用いて３８ｎｍの厚さを有する下側酸窒化銅層を形成した。次に、下側酸窒化銅層の上に、スパッタ法を用いて５００ｎｍの厚さを有する銅層を形成した。さらに、銅層の上に、スパッタ法を用いて３８ｎｍの厚さを有する上側酸窒化銅層を形成し、酸窒化銅層と銅層と酸窒化銅層からなる第１導電層を形成した。
第１導電層と同様に基材の第２の面の下地層の上に、スパッタ法を用いて３８ｎｍの厚さを有する下側酸窒化銅層を形成した。次に、下側酸窒化銅層の上に、スパッタ法を用いて５００ｎｍの厚さを有する銅層を形成した。さらに、銅層の上に、スパッタ法を用いて３８ｎｍの厚さを有する上側酸窒化銅層を形成し、酸窒化銅層と銅層と酸窒化銅層からなる第２導電層を形成し、タッチパネル用導電層積層体を形成した。【００６９】
次に、タッチパネル用導電性積層体の第１導電層上と第２導電層上との両面にレジストを塗布し、タッチパネル用導電性積層体の両面から露光マスクを介して、露光し、現像することにより、両面にそれぞれ電極パターンと周辺配線パターンを有するレジストパターンを形成した。
次に、第２塩化鉄液をエッチング液とし、酸窒化銅層と銅層と酸窒化銅層からなる第１導電層および第２導電層をエッチングし、レジストを剥離液で剥離することにより、第１電極層と第２電極層とを形成し、タッチパネル用導電性シートを作製した。
露光マスクのパターンを、上述の第１パターン〜第５パターンのいずれかのパターンとすることにより、第１帯状電極と第２帯状電極の様々な電極線と非接続線のパターンを作製した。なお、上述のように、電極線、接続線、ダミー線および非接続線の線幅は４μｍとした。
作製したタッチパネル用導電性シートとカバー層とを上述の光学的に透明な粘着剤を用いて貼り合せ、コントローラーと接続し、タッチパネルを作製した。
尚、第１帯状電極の電極幅をＷ１とし、第２帯状電極の電極幅をＷ２とし、表１に記載をした。非接続線がある場合は、第１非接続線の占有率をＣ１とし、第２非接続線の占有率をＣ２として表１に記載をした。【００７０】
感度は、以下のようにして評価した。
タッチパネルの表面のうち、予め設定した１万箇所の位置に順番にプローブロボットを使って、先端径が２ｍｍのスタイラスペンを接触させながら、各タッチ位置を検出した。そして、１万箇所の検出結果と、それに対応する設定値とを比較した。検出位置と設定位置の差ベクトルの絶対値が小さい方から数えて９９７３番目の値を用いて、以下の評価基準にて感度を評価した。
「ＡＡ」：上述の９９７３番目の値が０．５ｍｍ未満
「Ａ」：上述の９９７３番目の値が０．５ｍｍ以上１．０ｍｍ未満
「Ｂ」：上述の９９７３番目の値が１．０ｍ以上２．０ｍｍ未満
「Ｃ」：上述の９９７３番目の値が２．０ｍｍ以上
なお、評価「Ｃ」は先端径２ｍｍのスタイラスペンでは、誤検出が多く、使用上問題が有るレベルであり、評価「Ｂ」は誤検出が少なく使用上問題がないレベル、評価「Ａ」及び「ＡＡ」は、誤検出もなく、とても優れたレベルである。【００７１】
【表１】
0006799664.tif 000002
【００７２】
表１に示すように、実施例１〜実施例１１、実施例２１〜実施例２８、実施例３１〜実施例３８および実施例４１〜実施例４４は、比較例１および比較例２に比して、先端径が２ｍｍのスタイラスペンに対する感度が良好であり、先端径が２ｍｍのスタイラスペンを用いた際の誤検出を抑制できた。
実施例１〜実施例１１は、いずれも第１パターンであるが、Ｗ２／Ｗ１の値が相対的に小さい実施例６と、Ｗ２／Ｗ１の値が相対的に大きい実施例２および実施例１１とが、感度が若干低かった。
実施例２１〜実施例２８は、いずれも非接続線を有する第２パターンであるが、Ｗ２／Ｗ１の値が相対的に大きい実施例２３が、感度が若干低かった。実施例６とＷ２／Ｗ１の値が同じ実施例２６は、非接続線を有する第２パターンとすることにより感度評価が向上した。
実施例３１〜実施例３８は、いずれも第３パターンであるが、Ｗ２／Ｗ１の値が相対的に小さい実施例３６およびＷ２／Ｗ１の値が相対的に大きい実施例３３についても良好な感度を得ることができた。実施例２３とＷ２／Ｗ１の値が同じ実施例３３、および実施例２６とＷ２／Ｗ１の値が同じ実施例３６は、Ｃ１／Ｃ２の値を１よりも大きくすることにより、すなわち、Ｃ１＜Ｃ２である第３パターンとすることにより感度評価が向上した。【００７３】
なお、他の態様を付記すると以下の通りである。
第１電極層と、前記第１電極層と絶縁状態で対向して配置された第２電極層とを有し、前記第１電極層が配置された側が接触を検出する側である導電部材であって、
前記第１電極層は、複数の第１帯状電極を備え、複数の前記第１帯状電極は、第１の方向に沿って間隔をあけて配置され、かつ前記第１の方向に直交する第２の方向に延びるものであり、
前記第１帯状電極は、前記第１の方向に沿って間隔をあけて配置され、かつ前記第１の方向に直交する第２の方向に延びる複数の第１電極線と、複数の前記第１電極線が電気的に接続される第１パッドとを有し、前記第１電極線は、屈曲形状を有し、
前記第２電極層は、複数の第２帯状電極を備え、複数の前記第２帯状電極は、前記第２の方向に沿って間隔をあけて配置され、かつ前記第１の方向に延びるものであり、
前記第２帯状電極は、前記第２の方向に沿って間隔をあけて配置され、かつ前記第１の方向に延びる複数の第２電極線と、複数の前記第２電極線が電気的に接続される第２パッドとを有し、前記第２電極線は、屈曲形状を有しており、
前記第１電極層と前記第２電極層が設けられた領域の中で、前記複数の第１帯状電極と前記複数の第２帯状電極のそれぞれ最外に配置された電極を含まない主感知領域において、前記第１帯状電極の電極幅をＷ１とし、前記第２帯状電極の電極幅をＷ２とするとき、Ｗ１＜Ｗ２を満たす前記第１帯状電極と前記第２帯状電極との組合せが少なくとも１つある導電部材。
この導電部材は、電極として構成されうる。また、導電部材は、導電性フィルムであってもよく、導電性シートは導電性フィルムを含む。
【符号の説明】
【００７４】
１０  タッチパネル用導電性シート
１２  カバー層
１２ａ  表面
１３  タッチセンサ
１４  コントローラー
１５  透明層
１６  タッチパネル
１８  透明層
２０  表示パネル
３０、３１  透明絶縁基体
３０ａ、３１ａ  表面
３０ｂ、３１ｂ  裏面
３０ｃ  一辺
３２  第１電極層
３４  第１帯状電極
３４ａ  第１帯状電極の最外に配置された電極
３５  第１電極線
３５ａ、４３ａ  直線部
３５ｂ、４３ｂ  屈曲部
３６  第１パッド
３７  第１の周辺配線
３８  第１の周辺配線部
３９、４７  端子接続領域
４０  第２電極層
４２  第２帯状電極
４２ａ  第２帯状電極の最外に配置された電極
４３  第２電極線
４４  第２パッド
４５  第２の周辺配線
４６  第２の周辺配線部
４８  感知領域
４８ａ  主感知領域
４９  透明接着層
５０  第１ダミー線
５１  第１接続線
５２  第１非接続線
５４  第２接続線
５５  第２非接続線
５６、５７  隙間
５８  格子
５９  交差部
６０  第２ダミー線
１００  第１電極層
１０２  第１帯状電極
１０４  第２電極層
１０６  第２帯状電極
３００  透明絶縁部材
Ｄ１  第１の方向
Ｄ２  第２の方向
Ｄｎ  方向
Ｈ１、Ｈ２、Ｊ１、Ｊ２、Ｊ３、Ｊ４  直線
Ｌ１、Ｌ２、Ｌｘ、Ｌｙ  長さ
Ｗ１  電極幅
Ｗ２  電極幅
ｐ１、ｐ２  ピッチ
θ１、θ２  角度
【図１】
0006799664.tif 000003
【図２】
0006799664.tif 000004
【図３】
0006799664.tif 000005
【図４】
0006799664.tif 000006
【図５】
0006799664.tif 000007
【図６】
0006799664.tif 000008
【図７】
0006799664.tif 000009
【図８】
0006799664.tif 000010
【図９】
0006799664.tif 000011
【図１０】
0006799664.tif 000012
【図１１】
0006799664.tif 000013
【図１２】
0006799664.tif 000014
【図１３】
0006799664.tif 000015
【図１４】
0006799664.tif 000016
【図１５】
0006799664.tif 000017
【図１６】
0006799664.tif 000018
【図１７】
0006799664.tif 000019
【図１８】
0006799664.tif 000020
【図１９】
0006799664.tif 000021
【図２０】
0006799664.tif 000022
【図２１】
0006799664.tif 000023